(57)【特許請求の範囲】
【請求項１】
内部に空間を画成するリール枠を有し、該リール枠の一側に前記空間に連通する出入口を形成し、前記出入口に接する端縁の外側に外周縁があるリール本体と、前記出入口を経て前記空間に収容されるリール駆動手段を含む釣り用リール駆動装置であって、前記リール枠の出入口を覆うケージと、前記ケージをカバーする蓋と、所定の軸線の周りを囲んで筒状に形成されて前記ケージと前記蓋とを固定して定位させる締付部材と、前記締付部材を経て前記リール本体に収容されたリール駆動手段と連結される作動部材とを備え、
前記ケージは、
前記空間側にあって前記軸線の周りを囲んで筒状に形成された内側端部と、該内側端部と反対側の外側端部と、前記軸線に沿って該内側端部及び該外側端部の周面を接続する接続面とを有する装着座と、
前記内側端部の外周から前記リール枠の外周縁に至るように径方向の外方に放射状に形成されて、前記リール枠の外周縁に対向して接触する外周縁があるウェブとを有し、
前記蓋は、
前記軸線の周りを囲んで前記装着座の外周面と接触して嵌合される中央孔を画成する環状フランジがある中央部と、
前記中央部から径方向の外側に延びて、前記ウェブ側に移動するように付勢されて前記環状フランジが前記装着座に嵌合されるとき前記ウェブの外周縁を覆う外周縁がある面板部とを有し、
前記締付部材は、
前記接続面に対応して互いに締付可能にし、且つ前記締付部材が前記装着座の内側端部に近いロック位置及び前記内側端部から遠い解放位置の間に移動可能にするように前記軸線の周りを囲んで形成された環状連結面と、
前記締付部材が前記ロック位置に近づいたとき、前記環状フランジが前記ウェブ側に移動可能に付勢されるように前記環状フランジと向合う当接周縁とを有し、
前記作動部材は、
前記装着座に対して前記軸線において回転可能に取り付けられると共に前記リール駆動機構に連結されるように前記環状連結面を介して前記リール本体の空間に挿入することができる作動端部と、前記作動端部の反対側であって外部から前記作動端部と連動して操作することができる操作端部とを有する、
ことを特徴とする釣り用リール駆動装置。
【請求項２】
前記締付部材の当接周縁は、前記締付部材がロック位置にあるとき、前記環状フランジに当接するように前記締付部材が配置されることを特徴とする請求項１に記載の釣り用リール駆動装置。
【請求項３】
前記締付部材は、前記軸線の周りを囲んで前記作動部材の作動端部の挿通穴を画成する環状内面を有し、前記環状連結面が前記環状内面と径方向の反対側にある内筒と、
前記環状連結面が前記装着座の接続面と嵌合することができるように前記環状連結面に対向して前記装着座の外側端部との間に環状溝が形成されるように前記環状フランジに向って前記当接周縁に至るまで伸びた外筒とを有することを特徴とする請求項２に記載の釣り用リール駆動装置。
【請求項４】
前記環状連結面は、前記装着座の接続面と嵌合可能にねじ付けられることを特徴とする請求項３に記載の釣り用リール駆動装置。
【請求項５】
前記環状連結面は、前記環状溝に向って複数の突起が形成され、
前記環状フランジに対して前記当接周縁が接触されるように前記内筒が前記装着座の外側端部に挿入するとき、前記軸線に沿って前記突起を乗越え、前記軸線に対して前記締付部材を回し、前記突起と摩擦係合することができるように、前記装着座の接続面の外側端部側は、切り欠いて段差部が形成されることを特徴とする請求項３に記載の釣り用リール駆動装置。
【請求項６】
前記接続面は、前記外側端部の外周面にあるようにねじ付けられ、
前記環状連結面は、前記接続面に嵌合することができるようにねじ付けられることを特徴とする請求項２に記載の釣り用リール駆動装置。
【請求項７】
さらに、前記蓋の外周縁及び前記リール枠の外周縁の間に密封して水の浸入を阻止することができるシールリングを設けることを特徴とする請求項１に記載の釣り用リール駆動装置。
【発明の詳細な説明】
【技術分野】
【０００１】
本発明は、釣り用リール駆動装置に関する。
【背景技術】
【０００２】
図６に示す従来例の釣り用リール６０は、ハンドル（図示略）により回転されるロータなどからなるリール駆動手段がリール本体６１に格納され、リール駆動手段により釣り糸が軸線に枢着されたスプール６２に巻きつけられる。リール本体６１は両側の外方から一対の割りカバー６３、６３により覆って釣り竿に装着可能にしたものであり、割りカバー６３、６３は数本のねじ６４、６４、・・・（図では１本のみ示す）によりリール本体６１に固定されている。（特許文献１参照）。
【先行技術文献】
【特許文献】
【０００３】
【特許文献１】台湾実用新案登録公告第499851号
【発明の概要】
【発明が解決しようとする課題】
【０００４】
前記従来の釣り用リール６０においては、釣り用リール６０内の駆動手段、スプール６２等を保守する際、割りカバー６３、６３を外してリール本体６１や駆動手段などを取り出したり、またリール本体６１に駆動機構や割りカバー６３、６３などを組立てたりしなければならないため、工具を使って全部のねじ６４、６４、・・・を締め付け/外さなければならないので、手間がかかり、保守し難い問題がある。
【０００５】
本発明は、このような従来の問題点に鑑みてなされたもので、工具なしにカバー（蓋）を脱着可能で、保守便利性を有する釣り用リールを提供することを目的とする。
【課題を解決するための手段】
【０００６】
上記目的を達成するために、本発明は、内部に空間を画成するリール枠を有し、該リール枠の一側に空間に連通する出入口を形成し、出入口に接する端縁の外側に外周縁があるリール本体と、出入口を経て空間に収容されるリール駆動手段を含む釣り用リール駆動装置であって、リール枠の出入口を覆うケージと、ケージをカバーする蓋と、所定の軸線の周りを囲んで筒状に形成されてケージと蓋とを固定して定位させる締付部材と、締付部材を経てリール本体に収容されたリール駆動手段と連結される作動部材とを備え、ケージは、空間側にあって軸線の周りを囲んで筒状に形成された内側端部と、該内側端部と反対側の外側端部と、軸線に沿って該内側端部及び該外側端部の周面を接続する接続面とを有する装着座と、内側端部の外周からリール枠の外周縁に至るように径方向の外方に放射状に形成されて、リール枠の外周縁に対向して接触する外周縁があるウェブとを有し、蓋は、軸線の周りを囲んで装着座の外周面と接触して嵌合される中央孔を画成する環状フランジがある中央部と、中央部から径方向の外側に延びて、ウェブ側に移動するように付勢されて環状フランジが装着座に嵌合されるときウェブの外周縁を覆う外周縁がある面板部とを有し、締付部材は、接続面に対応して互いに締付可能にし、且つ締付部材が装着座の内側端部に近いロック位置及び内側端部から遠い解放位置の間に移動可能にするように軸線の周りを囲んで形成された環状連結面と、締付部材がロック位置に近づいたとき、環状フランジがウェブ側に移動可能に付勢されるように環状フランジと向合う当接周縁とを有し、作動部材は、装着座に対して軸線において回転可能に取り付けられると共にリール駆動機構に連結されるように環状連結面を介してリール本体の空間に挿入することができる作動端部と、作動端部の反対側であって外部から作動端部と連動して操作することができる操作端部とを有することを特徴とする釣り用リール駆動装置を提供する。
【０００７】
前記釣り用リール駆動装置において、締付部材の当接周縁は、締付部材がロック位置にあるとき、環状フランジに当接するように締付部材が配置されることが好ましい。
【０００８】
前記釣り用リール駆動装置において、締付部材は、軸線の周りを囲んで作動部材の作動端部の挿通穴を画成する環状内面を有し、環状連結面が環状内面と径方向の反対側にある内筒と、環状連結面が装着座の接続面と嵌合することができるように環状連結面に対向して装着座の外側端部との間に環状溝が形成されるように環状フランジに向って当接周縁に至るまで伸びた外筒とを有することが好ましい。
【０００９】
前記釣り用リール駆動装置において、環状連結面は、装着座の接続面と嵌合可能にねじ付けられることが好ましい。
【００１０】
前記釣り用リール駆動装置において、環状連結面は、環状溝に向って複数の突起が形成され、環状フランジに対して当接周縁が接触されるように内筒が装着座の外側端部に挿入するとき、軸線に沿って突起を乗越え、軸線に対して締付部材を回し、突起と摩擦係合することができるように、装着座の接続面の外側端部側は、切り欠いて段差部が形成されることが好ましい。
【００１１】
前記釣り用リール駆動装置において、接続面は、外側端部の外周面にあるようにねじ付けられ、環状連結面は、接続面に嵌合することができるようにねじ付けられるようにしてもよい。
【００１２】
前記釣り用リール駆動装置において、さらに、蓋の外周縁及びリール枠の外周縁の間に密封して水の浸入を阻止することができるシールリングを設けることが好ましい。
【発明の効果】
【００１３】
本発明の釣り用リール駆動装置によれば、締付部材は、解放位置へ回されて、ケージ及び蓋から外し、工具なしにリール枠から取り外すことができるので、リール枠の両側は開放されて、ウェブの穴からリール駆動機構の掃除、オイル付けなどの手入れをすることができる。したがって、リール駆動機構の保守便利性を向上させることができる
【図面の簡単な説明】
【００１４】
【図１】本発明の第１の実施例の釣り用リール駆動装置を示す組立斜視図である。
【図２】図１の分解斜視図である。
【図３】図１の断面図である。
【図４】本発明の第２の実施例の釣り用リール駆動装置を示す分解斜視図である。
【図５】本発明の第３の実施例の釣り用リール駆動装置を示す断面図である。
【図６】従来の釣り用リールの１例を示す分解斜視図である。
【発明を実施するための形態】
【００１５】
本発明の特徴及び利点は、添付の図面を参照して、以下の本発明の好適な実施形態の詳細の説明から明らかとなる。なお、同一構成及び機能を有する構成要素については、同一番号を付してその説明を省略する。
【第１の実施例】
【００１６】
図１は、本発明の第１の実施例の釣り用リール駆動装置１を示す組立斜視図、図２は、図１の分解斜視図、図３は、図１の断面図である。図示の如く、本発明の第１の実施例の釣り用リール駆動装置１は、リール本体２と、リール駆動機構２５と、ケージ２０と、左右一対の蓋３、３と、締付部材４と、作動部材５とをそなえている。
【００１７】
リール本体２は、内部に空間２１１を画成するリール枠２１を有し、該リール枠２１の一側に空間２１１に連通する出入口２１２を形成し、出入口２１２に接する端縁の外側に外周縁２１３がある。リール駆動手段２５は、リール本体２に脱着可能に出入口２１２を経て空間２１１に収容される。なお、左、右とは、例えば図面を見てその左側、右側をいい、本例においては、リール枠２１の一側とはリール枠２１の左側である。
【００１８】
ケージ２０は、主としてリール枠２１の出入口２１２を覆うものであって、リール枠２１の両側にある左側装着座２４と右側装着座２４及び左装着座２４及びリール枠２１の左側にあるウェブ２２とを有する。両側の装着座２４のそれぞれは、リール枠２１の空間２１１に向って軸線Ｘの周りを囲んで筒状に形成された内側端部２４１と、該内側端部２４１と反対側の外側端部２４２と、軸線Ｘに沿って該内側端部２４１及び該外側端部２４２の周面を接続する接続面２４３とを有する。接続面２４３は、この例では、該内側端部２４１及び該外側端部２４２の内周面を接続するように形成されている。
【００１９】
ウェブ２２は、左側装着座２４の内側端部２４１の外周からリール枠２１の外周縁２１３に至るように径方向の外方に放射状に形成されて、複数の穴２２１及び該リール枠２１の外周縁２１３に対向して接触する外周縁２２２がある。
【００２０】
左右一対の蓋３、３は、それぞれ左側装着座２４と右側装着座２４をカバーするものであり、軸線Ｘの周りを囲んで装着座２４の外周面と接触して嵌合される中央孔３１を画成する環状フランジ３２がある中央部３０と、該中央部３０から径方向の外側に延びて、ウェブ２２側に移動するように付勢されるとき環状フランジ３２が装着座２４に嵌合されるときウェブ２２の外周縁２２２を覆う外周縁３３がある面板部３４とを有する。このようにして、左蓋３がリール枠２１側に付勢されると、左側装着座２４と嵌合され、ウェブ２２側に押されるように環状フランジ３２が付勢されると共に、蓋３の外周縁３３によりウェブ２２の外周縁２２２が覆われるので、外観性を良好に保つと共に、蓋３及びウェブ２２がリール本体２から容易く脱離することなく、緊密に結合されることができる。なお、蓋３の面板部３４は、設計により適宜カラーやマーク、意匠などを付することができる。
【００２１】
締付部材４は、軸線Ｘの周りを囲んで筒状に形成されてケージ２０と蓋３とを固定して定位させるものである。締付部材４は、この例においては、装着座２４の接続面２４３に対応して互いに締付可能になるものであり、締付部材４が装着座２４の内側端部２４１に近いロック位置及び内側端部２４１から遠い解放位置の間に移動可能にするように軸線Ｘの周りを囲んで形成された環状連結面４１と、締付部材４がロック位置に近づいたとき、環状フランジ３２がウェブ２２側に移動可能に付勢されるように環状フランジ３２と向合う当接周縁４３１とを有する。締付部材４の当接周縁４３１は、締付部材４がロック位置にあるとき、環状フランジ３２に当接するように締付部材４が配置されている。
【００２２】
作動部材５は、締付部材４を介してリール本体２に収容されたリール駆動手段２５と連結されており、装着座２４に対して軸線Ｘにおいて回転可能に取り付けられると共にリール駆動機構２５に連結されるように締付部材４の環状連結面４１を介してリール本体２の空間２１１に挿入されることができる作動端部５１と、作動端部５１の反対側であって外部から作動端部５１と連動して操作することができる操作端部５２とを有する。
【００２３】
リール本体２の両側にある締付部材４、４は、より具体的に、二重筒状に形成されて、Ｘ軸線の周りを囲んで作動部材５の作動端部５１の挿通穴を画成する環状内面４００を有し、環状連結面４１がこの環状内面４００と径方向の反対側にある内筒４０と、環状連結面４１が装着座２４の接続面２４３と嵌合することができるように環状連結面４１に対向して装着座２４の外側端部２４２との間に環状溝４２が形成されるように蓋３の環状フランジ３２に向って環状フランジ３２と接触する当接周縁４３１に至るまで伸びた外筒４３とを有する。なお、この例では、環状連結面４１及び装着座２４の接続面２４３と嵌合できるようにねじ付けられている。
【００２４】
なお、作動端部５１は、この例においては、締付部材４の内筒４０を介してリール本体２の空間に挿入されてリール駆動機構２５と連結されるようにねじ付けられている。
【００２５】
なお、リール駆動機構２５及び作動部材５は、従来公知のものと同様に構成できるので、説明を省略する。
【００２６】
次に、このように構成された釣り用リール駆動装置１の組立を説明する。
＜釣り用リール駆動装置１の組立＞
【００２７】
釣り用リール駆動装置１を組立てる際、予めリール本体２のリール枠２１の出入口２１２を介してリール駆動機構２５を空間２１１に組み付けておく。ケージ２０により、リール枠２１の出入口２１２を被せて、ウェブ２２の外周縁２２２が該リール枠２１の外周縁２１３に対向して接触し、ねじ部材などにより固定される。次に、蓋３、３の中央孔３１、３１に装着座２４、２４が嵌合されながら、外周縁３３、３３がウェブ２２の外周縁２２２を覆うようにリール枠２１の外周縁２１３の縁辺と接触して定位される。締付部材４、４は、解放位置からロック位置へ回され、締付部材４、４の環状連結面４１及びケージ２０の装着座２４の接続面２４３は互いに螺合しながら、当接周縁４３１は、環状フランジ３２に当接して、ロック位置にあると、蓋３、３は、環状フランジ３２と締付部材４、４の当接周縁４３１、４３１とを緊密に接触すると共に、リール本体２に緊密に固定される。作動部材５は、締付部材４の内筒４０を介して作動端部５１がリール本体２内に挿入して、リール駆動機構２５と連結される。
【００２８】
このように構成された釣り用リール駆動装置１では、リール駆動機構２５を保守しょうとするとき、締付部材４、４は、解放位置へ回されて、ケージ２０及び蓋３、３から外し、工具なしにリール枠２１から取り外すことができるので、リール枠２１の両側は開放されて、ウェブ２２の穴２２１からリール駆動機構２５の掃除、オイル付けなどの手入れをすることができる。したがって、リール駆動機構２５の保守便利性を向上させることができる。
【第２の実施例】
【００２９】
図４は、本実施例の釣り用リール駆動装置１Ａを示す分解斜視図である。この実施例では、ケージ２０の装着座２４及び締付部材４以外は、前記実施例と同様な構成をするので、それについての説明を省略する。
【００３０】
前記実施例では、締付部材４の環状連結面４１及び装着座２４の接続面２４３は、互いに嵌合できるようにねじ付けられているが、本例においては、締付部材４の環状連結面４１は、一対の突起４１２が環状溝４２に向かって突出され、そして、装着座２４の接続面２４３の外側端部２４２側は、切り欠いて段差部２４４が形成されている。
【００３１】
このようにすると、環状フランジ３２に対して当接周縁４３１が接触されるように内筒４０が装着座２４の外側端部２４２に挿入するとき、軸線Ｘに沿って突起４１２、４１２を乗越え、軸線Ｘに対して締付部材４を回し、突起４１２と摩擦係合することができる。
【第３の実施例】
【００３２】
図５は、本発明の第３の実施例の釣り用リール駆動装置１Ｂを示す断面図である。
本例では、装着座２４の接続面２４３は、外側端部２４２の外周面にあるようにねじ付けられ、締付部材４は、内筒４０が設けられず、環状連結面４１は、接続面２４３に嵌合することができるようにねじ付けられている以外、その他の構成は第１の実施例と同様である。
【００３３】
本例においては、さらに、蓋３の外周縁３３及びリール枠２１の外周縁２１３の間に密封して水の浸入を阻止することができるシールリング２６、２６が設けられている。
【００３４】
上記のように構成されたリール駆動装置は、リール駆動機構２５を保守しようとするとき、工具を使わずに手で作動部材５及び締付部材４を回して蓋３を外し、ケージ２０のウェブ２２を介してリール駆動機構２５の手入れをすることができるので、保守手間を減らすことができる。また、固定するためのねじの数も少なく済むので、リール駆動装置を効率よく組立てる・解体することができる。
【産業上の利用可能性】
【００３５】
本発明の釣り用リール駆動装置は、保守手間を短縮することを図るための釣り用リール装置に有用である。
【符号の説明】
【００３６】
１,１Ａ,１Ｂ  釣り用リール駆動装置
２  リール本体
２０  ケージ
２１  リール枠
２１１  空間
２１２  出入口
２１３  外周縁
２２  ウェブ
２２１  穴
２２２  外周縁
２４  装着座
２４１  内側端部
２４２  外側端部
２４３  接続面
２５  リール駆動機構
２６  シールリング
３  蓋
３０中央部
３０  中央部
３１  中央孔
３２  環状フランジ
３３  外周縁
３４  面板部
４  締付部材
４０  内筒
４００  内面
４１  環状連結面
４２  環状溝
４３  外筒
４３１  当接周縁
５  作動部材
５１  作動端部
５２  操作端部
Ｘ  軸線
【図１】
0004913836.tif 000002
【図２】
0004913836.tif 000003
【図３】
0004913836.tif 000004
【図４】
0004913836.tif 000005
【図５】
0004913836.tif 000006
【図６】
0004913836.tif 000007